(57)【要約】【課題】排紙トレイを閉じた状態で装置を使用した際に発生する紙詰まりを抑制することができる画像処理装置を提供する。【解決手段】第１トレイ１４２の前壁１４２Ａの下端は、側壁１４２Ｃの下端よりも上方に形成されており、前壁１４２Ａの下端と平面部１４１Ｂの前端との間に、用紙を装置外へ排紙するための開口部１４４が形成されている。第２トレイ１４３が第１位置に配置された状態において、第１リブ１４３Ｂが本体部１４３Ａから上方に向けて突出し、排紙方向に延びるように形成されている。この第１リブ１４３Ｂは、第１トレイ１４２が閉位置に配置され、第２トレイ１４３が第１位置に配置された状態において、排紙口１３１から排紙された用紙を開口部１４４まで案内する。【選択図】図６
2015168526.tif 000002
【特許請求の範囲】
【請求項１】
筐体と、
用紙を排紙する排紙部と、
前記排紙部から排紙された用紙を受ける排紙トレイと、
を備え、
前記排紙トレイは、
前記筐体に形成され、排紙される用紙が搬送される方向である排紙方向下流側に向かうにつれて高くなる傾斜面を有する載置部と、
前記載置部の上方に配置され前記筐体の一部を覆う閉位置と、前記載置部よりも排紙方向下流に配置され、前記載置部とともに排紙された用紙を載置する開位置と、に揺動可能な第１揺動部材と、
前記閉位置に配置された前記第１揺動部材と前記載置部との間に配置され、排紙された用紙を前記排紙方向下流側に案内する第１位置と、前記開位置に配置された前記第１揺動部材の上方に配置され、排紙された用紙を載置する第２位置と、に揺動可能な第２揺動部材と、を備え、
前記閉位置に配置された前記第１揺動部材と前記載置部とにより、前記排紙部よりも前記排紙方向下流側で開口する開口部が形成され、前記排紙部により排紙され前記第２揺動部材によって案内された用紙は、前記開口部から前記排紙トレイ外へ排紙されることを特徴とする画像処置装置。
【請求項２】
前記第２揺動部材は、前記第１揺動部材の揺動に連動して揺動することを特徴とする請求項１に記載の画像処理装置。
【請求項３】
前記第２揺動部材は、前記第２揺動部材の前記揺動の軸方向における両端部に係合部を備え、
前記第１揺動部材は前記係合部と係合する被係合部を有することを特徴とする請求項２に記載の画像処理装置。
【請求項４】
前記係合部は、前記揺動の軸方向に突出し、前記被係合部は長穴であることを特徴とする請求項３に記載の画像処理装置。
【請求項５】
前記第２揺動部材は、前記第１揺動部材に軸支されていることを特徴とする請求項２から４のいずれか一項に記載の画像処理装置。
【請求項６】
前記第１揺動部材は、前記閉位置に配置されている状態において、前記開口部の縁に連続して排紙方向上流側に延び、かつ上側に凹んで湾曲する湾曲部を有することを特徴とする請求項１から５のいずれか一項に記載の画像処理装置。
【請求項７】
前記第２揺動部材は、前記閉位置に配置された前記第１揺動部材に向かって突出し、かつ前記排紙方向に延びる第１リブを有することを特徴とする請求項１から６のいずれか一項に記載の画像処理装置。
【請求項８】
前記第２揺動部材は、前記第２位置に配置されている状態において、前記第１揺動部材と反対側に突出し、かつ前記排紙方向に延びる第２リブを有することを特徴とする請求項１から請求項７のいずれか一項に記載の画像処理装置。
【発明の詳細な説明】
【技術分野】
【０００１】
本発明は、装置本体に対して揺動可能な排紙トレイを有する画像処理装置に関する。
【背景技術】
【０００２】
従来の画像処理装置として、画像処理装置から排出される用紙を積載する排紙トレイが揺動可能に搭載された装置が知られている。たとえば、特開平７−２５２００４には、装置に対して揺動可能な排紙トレイが備えられる。この排紙トレイは、装置に対して開いた開状態と装置に対して閉じた閉状態とに揺動可能である。排紙トレイが開状態のときは、排紙ローラによって排紙された用紙が排紙トレイ上に載置されるようになっている。また、排紙トレイが閉状態のときは、排紙トレイが装置側面および上面の一部を覆っている。
【先行技術文献】
【特許文献】
【０００３】
【特許文献１】特開平７−２５２００４号公報
【発明の概要】
【発明が解決しようとする課題】
【０００４】
しかしながら、上述した画像処理装置において、排紙トレイが閉じられた状態では、排紙トレイは、装置側面に形成されている用紙を排紙するための排紙口を覆ってしまう。そのため、ユーザが装置を使用する際に、排紙トレイを開き忘れると、排紙トレイが排紙口を覆っているため、用紙が装置から排紙されず紙詰まりが発生してしまうといった問題があった。
【０００５】
本発明は上述した問題を解決するためになされたものであり、ユーザが排紙トレイを開き忘れたとしても、紙詰まりが発生することを抑制できる画像処理装置を提供することを目的とする。
【課題を解決するための手段】
【０００６】
上記目的を達成するために、本発明の請求項１に係る画像処理装置は、
筐体と、用紙を排紙する排紙部と、前記排紙部から排紙された用紙を受ける排紙トレイと、を備え、前記排紙トレイは、前記筐体に形成され、排紙される用紙が搬送される方向である排紙方向下流側に向かうにつれて高くなる傾斜面を有する載置部と、前記載置部の上方に配置され前記筐体の一部を覆う閉位置と、前記載置部よりも排紙方向下流に配置され、前記載置部とともに排紙された用紙を載置する開位置と、に揺動可能な第１揺動部材と、前記閉位置に配置された前記第１揺動部材と前記載置部との間に配置され、排紙された用紙を前記排紙方向下流側に案内する第１位置と、前記開位置に配置された前記第１揺動部材の上方に配置され、排紙された用紙を載置する第２位置と、に揺動可能な第２揺動部材と、を備え、前記閉位置に配置された前記第１揺動部材と前記載置部とにより、前記排紙部よりも前記排紙方向下流側で開口する開口部が形成され、前記排紙部により排紙され前記第２揺動部材によって案内された用紙は、前記開口部から前記排紙トレイ外へ排紙されることを特徴とする。
【発明の効果】
【０００７】
本発明によれば、閉位置に配置された第１揺動部材と載置部とにより、開口部が形成されているので、第１揺動部材が閉位置に配置された状態でも用紙を排紙することができる。さらに、第１揺動部材が閉位置に配置された状態で、排紙部から排紙された用紙を案内する第２揺動部材が、載置部と第１揺動部材との間の第１位置に配置され、排紙部から開口部にかけて用紙を案内することで、紙詰まりの発生を抑制することができる。
【図面の簡単な説明】
【０００８】
【図１】本発明の一実施形態に係る排紙トレイが搭載された画像処理装置の構成を示す概略断面図である。
【図２】本発明の一実施形態に係る第１トレイおよび第２トレイが閉位置に配置される状態の画像処理装置を示す斜視図である。
【図３】本発明の一実施形態に係る第１トレイおよび第２トレイが閉位置に配置される状態の画像処理装置を示す正面図である。
【図４】本発明の一実施形態に係る第１トレイおよび第２トレイが閉位置に配置される状態の画像処理装置を示す斜視断面図である。
【図５】本発明の一実施形態に係る第１トレイおよび第２トレイが開位置に配置される状態の画像処理装置を示す斜視図である。
【図６】本発明の一実施形態に係る第１トレイおよび第２トレイが閉位置に配置される状態を示す断面図である。
【図７】本発明の一実施形態に係る第１トレイおよび第２トレイが開位置に配置される状態を示す断面図である。
【図８】本発明の一実施形態に係る第２トレイの構成を示す説明図である。
【図９】本発明の一実施形態に係る第１トレイおよび第２トレイが開位置に配置される状態の画像処理装置を示す斜視断面図である。
【発明を実施するための形態】
【０００９】
本発明を実施するための実施形態について図面を基に詳しく説明する。
【００１０】
以下では、画像処理装置１００の全体構成を説明した後、本発明の特徴部分を詳しく説明する。方向については、画像処理装置１００を使用する際のユーザを基準にした方向で説明する。具体的には、図１において、紙面に向かって左側を「前」、右側を「後」、紙面に向かって上方向、下方向をそれぞれ「上」、「下」とする。また、紙面奥側を「左」、手前側を「右」とする。ここでは、排紙方向を後から前に向かう方向として説明する。
【００１１】
図１は、本発明の一実施形態における画像処理装置の一例を示す概略断面図である。画像処理装置１００は、図１に示すように、筐体１０１と、給紙部１１０と、用紙に画像処理動作を実行する画像処理部１２０と、排紙部の一例としての排紙ローラ対１３０と、排紙トレイ１４０と、を備えている。筐体１０１は、直方体の一部を切り欠いた略直方体形状となっている。図２に示すように、側面視上に略Ｌ字型のサイドカバー１０１Ａ、１０１Ｂが筐体１０１の右側面および左側面にそれぞれ取り付けられている。図３に示すように、サイドカバー１０１Ａと１０１Ｂとの間には、用紙を装置外へ排紙するための通紙部１４４が左右方向に伸びて形成されている。給紙部１１０は、用紙を載置する給紙トレイ１１１と、給紙トレイ１１１上に載置されている用紙を画像処理部１２０に送り出すための給紙ローラ対１１２とを備えている。
【００１２】
画像処理部１２０は、トナーを収容するプロセスカートリッジ１２１と、トナーを供給するとともにトナーを帯電させる供給ローラ１２２と、感光ドラム１２３と、トナーを感光ドラム１２３に供給する現像ローラ１２４と、感光ドラム１２３に静電潜像を形成するスキャナ１２５と、用紙に画像を形成する転写ローラ１２６と、用紙に形成された画像を定着させる定着器１２７とを有する。
【００１３】
プロセスカートリッジ１２１は、図示せぬ公知の帯電器、層厚規制ブレード、トナー収容室などが設けられている。プロセスカートリッジ１２１に設けられる帯電器により、回転する感光ドラム１２３の表面が一様に帯電される。帯電した感光ドラム１２３は、スキャナ１２５が発するレーザビームの高速走査により露光される。このように、スキャナ１２５により感光ドラム１２３上の露光部分の電位を下げることで、感光ドラム１２３の表面に静電潜像が形成される。
【００１４】
次いで、プロセスカートリッジ１２１に設けられるトナー収容室内のトナーが、供給ローラ１２２および現像ローラ１２４によって感光ドラム１２３の静電潜像に供給されることで、感光ドラム１２３の表面上にトナー像が形成される。その後、感光ドラム１２３と転写ローラ１２６の間を用紙が通過することで、感光ドラム１２３の表面に担持されているトナー像が用紙上に転写される。転写された用紙は、定着器１２７へと搬送され、定着器１２７により像が用紙に定着される。本実施形態では電子写真方式を採用しているが、インクジェット方式等の画像処理部であってもよい。  
【００１５】
定着器１２７で定着された用紙は、排紙ローラ対１３０により排紙口１３１から排紙される。排紙口１３１は、排紙方向に直交し、かつ左右方向に長い略矩形型の開口部である。排紙口１３１は、排紙ローラ対１３０よりも排紙方向下流側に、かつ排紙ローラ対１３０の近傍に配置される。
【００１６】
排紙トレイ１４０は、載置部１４１、第１揺動部材の一例としての第１トレイ１４２、第２揺動部材の一例としての第２トレイ１４３により構成される。図１に示すように、載置部１４１は、筐体１０１の上面に形成されている。載置部１４１は、排紙口１３１の下方から排紙方向下流へ向けて上る傾斜面を有する第１傾斜部１４１Ａと、この第１傾斜部１４１Ａと連続した平面を有する平面部１４１Ｂと、を備えている。
【００１７】
図１に示すように、第１傾斜部１４１Ａの後端部から排紙口１３１まで上方に向かって延びる第２支持板１００Ｃが形成されている。第２支持板１００Ｃは、筐体１０１の一部を構成し、上下および左右に連続して延びる略矩形に形成されている。
【００１８】
図４に示すように、平面部１４１Ｂの左右両端部には、第１傾斜部１４１Ａの左右両端部よりも左右方向内側に配置され、平面部１４１Ｂよりも下方に凹む凹部１４１Ｃが形成されている。この凹部１４１Ｃに連続して、前方向に向かって下方へ下る第２傾斜部１４１Ｄが形成されている。
【００１９】
凹部１４１Ｃおよび第２傾斜部１４１Ｄよりも左右方向内側であって、かつ凹部１４１Ｃおよび第２傾斜部１４１Ｄと近接する位置に、上方に突出する第１支持板１００Ａが形成されている。第１支持板１００Ａには、揺動軸１００Ｂが備えられ、第１トレイ１４２と第２トレイ１４３を装置本体に対して揺動可能に支持している。
【００２０】
第１トレイ１４２は、筐体１０１の上面と載置部１４１の上方を覆う閉位置（図４）と、載置部１４１よりも後側に配置され、載置部１４１とともに排紙された用紙を載置する開位置（図５）と、に揺動可能となっている。なお、排紙方向と直交する左右方向が揺動の軸方向である。
【００２１】
以下では、閉位置に配置された第１トレイ１４２の構成について説明する。第１トレイ１４２は、前壁１４２Ａと、上壁１４２Ｂと、側壁１４３Ｃとにより形成されている。前壁１４２Ａは、排紙方向に直交する面で上下及び左右に延びる略矩形型に形成されている。図４に示すように、前壁１４２Ａの下端は、側壁１４２Ｃの下端よりも上方に形成されており、前壁１４２Ａの下端と平面部１４１Ｂの前端との間に、開口部１４４が形成されている。開口部１４４は、排紙方向に直交する開口である。上壁１４２Ｂは、前壁１４２Ａの上端から後方に向かって連続して前後および左右に延びる略矩形に形成されており、装置本体の外観の一部を形成する。図４に示すように、側壁１４２Ｃは、前壁１４２Ａおよび上壁１４２Ｂの左右方向両端部に連続し、かつ前壁１４２Ａと上壁１４２Ｂに直交する略Ｌ字型に形成されている。
【００２２】
図６に示すように、前壁１４２Ａの下端部と上壁１４２Ｂの裏面における排紙口１３１よりも下流側の位置とを連続する湾曲部１４２Ｆが形成されている。この湾曲部１４２Ｆは、前壁１４２Ａの下端部と上壁１４２Ｂの裏面における排紙口１３１よりも下流側の位置とを結ぶ仮想線２００（図６参照）よりも上側に凹んで湾曲したリブ形状をしており、第１トレイ１４２が閉位置に配置された状態で排紙口１３１から排紙された用紙を開口部１４４に案内する。
【００２３】
第２トレイ１４３は、閉位置に配置された第１トレイ１４２と載置部１４１の間に配置され、排紙された用紙を排紙方向下流側に案内する第１位置（図６）と、開位置に配置された第１トレイの上方に配置され、排紙された用紙を載置する第２位置（図７）と、に揺動可能となっている。なお、排紙方向と直交する左右方向が揺動の軸方向である。
【００２４】
以下では、第１位置に配置された第２トレイ１４３の構成について説明する。図８に示すように、第２トレイ１４３は、本体部１４３Ａと、第１リブ１４３Ｂと、第２リブ１４３Ｃと、を有する。本体部１４３Ａは、左右方向に延びる側面視上に凸の湾曲形状をしている。第１リブ１４３Ｂは、本体部１４３Ａから上方に向けて突出し、排紙方向に延びるように形成されている。第２リブ１４３Ｃは、第１リブ１４３Ｂが形成される本体部１４３Ａの面と反対の面から下方に向けて突出し、排紙方向に延びるように形成されている。第１リブ１４３Ｂは、図６に示すように、第１トレイが閉位置に配置される状態において、排紙口１３１から排紙された用紙を開口部１４４まで案内する。ここでは、第２トレイ１４３の本体部１４３Ａの上面および下面の両面にリブを有する構成を実施形態として挙げたが、リブの有無やリブの形状や配置の仕方については任意で構成してもよい。
【００２５】
図７に示すように、開位置に配置された第１トレイ１４２は、平面部１４１Ｂから排紙方向下流に延出するように配置され、排紙された用紙を載置部１４１とともに載置する。
【００２６】
図７に示すように、開位置に配置された第２トレイ１４３は、平面部１４１Ｂより排紙方向下流側に連続して延出するように配置される。開位置に配置された第２トレイ１４３の前端部は、開位置に配置された第１トレイ１４２の上壁１４２Ｂの裏面に当接し、第２リブ１４３Ｃが上方に、第１リブ１４３Ｂが下方に配置される。第２リブ１４３Ｃは、排紙口１３１より排紙された用紙を排紙方向下流側に向けて案内する。さらに、排紙された用紙は第２リブ１４３Ｃ上に載置される。
【００２７】
第２トレイ１４３は、第１トレイ１４２の揺動に連動して揺動する。第１トレイ１４２と第２トレイ１４３の連動機構の構成例について、以下で詳細に説明する。
【００２８】
第１トレイ１４２および第２トレイ１４３は、それぞれ左右対称な形状となっているため、以下では代表して右側の連動機構の構成のみについて説明する。
【００２９】
図４に示すように、第１トレイ１４２の側壁１４２Ｃの下端部であって、載置部１４１の凹部１４１Ｃ近傍には、第１支持板１００Ａから突出する揺動軸１００Ｂを支持する第１軸支部１４２Ｄが形成されている。第１軸支部１４２Ｄは、側壁１４２Ｃの下端部を左右方向に貫通する軸穴である。側壁１４２Ｃの下端部であって、第１軸支部１４２Ｄよりも後側かつ上側には、被係合部の一例としての長穴１４２Ｅが形成されている。長穴１４２Ｅは、側壁１４２Ｃの下端部を左右方向に貫通しており、第１軸支部１４２Ｄを中心とする円弧形状に形成されている。
【００３０】
図８に示すように、第２トレイ１４３の本体部１４３Ａは、係合部の一例としての軸１４３Ｄを備える。軸１４３Ｄは、本体部１４３Ａの右側端部から右側に向かって突出し、円柱形に形成されている。軸１４３Ｄの近傍には、第２軸支部１４３Ｅが形成されている。第２軸支部１４３Ｅは、左右方向に貫通する円柱形の軸穴である。
【００３１】
図４に示すように、第１トレイ１４２が閉位置かつ第２トレイ１４３が第１位置に配置される状態において、第１支持板１００Ａから突出する揺動軸１００Ｂは、第２トレイ１４３の第２軸支部１４３Ｅに嵌合されている。第２トレイ１４３の本体部１４３Ａは、第１支持板１００Ａの側壁に当接し、第１支持板１００Ａの右側に隣接した状態で連結されている。さらに、揺動軸１００Ｂが第１トレイ１４２の第１軸支部１４２Ｄに嵌合されており、かつ軸１４３Ｄが長穴１４２Ｅに係合している。第１トレイ１４２の側壁１４２Ｃは、第２トレイ１４３に当接し、第２トレイ１４３の右側に隣接した状態で連結されている。
【００３２】
次に、第１トレイ１４２と第２トレイ１４３の連動機構の原理と動作について、以下で詳細に説明する。
【００３３】
図４に示すように、閉位置の第１トレイ１４２を開位置に向かう方向に揺動させると、第１位置に配置された第２トレイ１４３から突出する軸１４３Ｄが、長穴１４２Ｅの後端部に係合されたまま、第２トレイ１４３は第１トレイ１４２の揺動に連動して揺動し始める。第１トレイ１４２を開位置に向かう方向に所定の角度以上揺動させると、長穴１４２Ｅの後端部に係合されていた軸１４３Ｄが、長穴１４２Ｅの前端部に向かって移動し始める。その後、軸１４３Ｄが長穴１４２Ｅの前端部まで移動し、図７に示すように、第２トレイ１４３が開位置に配置された第１トレイ１４２上に自重によって当接することで、第２トレイ１４３が第２位置に配置される。ここでは、第２トレイ１４３が第２位置に配置される状態で、第２トレイ１４３の排紙方向下流側の前端部が、開位置の第１トレイ１４２上に当接する構成としているが、近接する構成であってもよい。
【００３４】
図９に示すように、開位置の第１トレイ１４２を閉位置に向かう方向に揺動させると、第２位置に配置された第２トレイ１４３は、第１トレイ１４２に当接した状態を維持しながら揺動し始める。このとき、第２トレイ１４３から突出する軸１４３Ｄは、長穴１４２Ｅの前端部に係合されたまま、第２トレイ１４３は揺動する。第１トレイ１４２を閉位置に向かう方向に所定の角度以上揺動させると、長穴１４２Ｅの前端部に係合されていた軸１４３Ｄが、長穴１４２Ｅの後端部に向かって移動し始め、第２トレイ１４３が第１トレイ１４２から離間する。その後、軸１４３Ｄが長穴１４２Ｅの後端部まで移動し、図６に示すように、第２トレイ１４３の後端部が第２支持板１００Ｃに対して自重によって当接することで、第２トレイ１４３が第１位置に配置される。ここでは、第２トレイ１４３が第１位置に配置される状態で、第２トレイ１４３の後端部が第２支持板１００Ｃに当接する構成としているが、第２支持板１００Ｃと離間して載置部１４１の第１傾斜部１４１Ａの上方に配置される構成であってもよい。
【符号の説明】
【００３５】
１    用紙
１００    画像処理装置
１００Ａ  第１支持板
１００Ｂ  揺動軸
１００Ｃ  第２支持板
１０１    筐体
１０１Ａ，１０１Ｂ  サイドカバー
１１０    給紙部
１２０    画像処理部
１３０    排紙ローラ対
１３１    排紙口
１４０    排紙トレイ
１４１    載置部
１４１Ａ  第１傾斜部
１４１Ｂ  平面部
１４１Ｃ  凹部
１４１Ｄ  第２傾斜部
１４２    第１トレイ
１４２Ａ  前壁
１４２Ｂ  上壁
１４２Ｃ  側壁
１４２Ｄ  第１軸支部
１４２Ｅ  長穴
１４２Ｆ  湾曲部
１４３    第２トレイ
１４３Ａ  本体部
１４３Ｂ  第１リブ
１４３Ｃ  第２リブ
１４３Ｄ  軸
１４３Ｅ  第２軸支部
１４４    開口部
【図１】
2015168526.tif 000003
【図２】
2015168526.tif 000004
【図３】
2015168526.tif 000005
【図４】
2015168526.tif 000006
【図５】
2015168526.tif 000007
【図６】
2015168526.tif 000008
【図７】
2015168526.tif 000009
【図８】
2015168526.tif 000010
【図９】
2015168526.tif 000011